(57)【特許請求の範囲】
【請求項１】
撮影画像及び再生画像表示用のモニタ部をカメラ本体に対し開閉可能に備えたカメラ装置であって、
前記モニタ部は、一側部の上下に支軸を有し、
前記カメラ本体は、前記上下の支軸が移動自在にそれぞれ係合する上下一対の横方向案内溝を有し、
前記カメラ本体に対し前記モニタ部を開いた状態で当該モニタ部のほぼ半分が前記カメラ本体に重なった状態となるよう前記モニタ部を前記カメラ本体に組み付けたこと、を特徴とするカメラ装置。
【請求項２】
前記カメラ本体には、前記モニタ部を閉めた状態で当該モニタ部により覆われた状態となり、かつ、前記モニタ部を開いた状態で露出した状態となる操作部を設けたこと、を特徴とする請求項１記載のカメラ装置。
【請求項３】
前記操作部には、電源スイッチが含まれていること、を特徴とする請求項２記載のカメラ装置。
【請求項４】
前記操作部には、シャッターボタンが含まれていること、を特徴とする請求項２または３記載のカメラ装置。
【発明の詳細な説明】
【０００１】
【発明の属する技術分野】
本発明は、モニタを備えたカメラ装置に関するものである。
【０００２】
【従来の技術】
カメラにおいて、撮像レンズ部とファインダ部を、一体のカバーで覆うことにより、携帯時に保護できるようにしたものが従来からあった。
また、近年普及している電子スチルカメラでは、液晶表示パネルを用いたモニタを装備するものが多い。
【０００３】
【発明が解決しようとする課題】
ところで、電子スチルカメラにおいては、携帯時にモニタ（液晶表示パネル）表面が傷付きやすい。
このため、モニタ（液晶表示パネル）表面を覆って保護する開閉式のカバーを設けることが考えられる。
しかし、撮影時には、カバーを開けておくことから、操作性が悪くなってしまう。
また、カメラ本体に対しモニタ（液晶表示パネル）を開閉式とすることも考えられるが、単に開閉式としただけでは、モニタ（液晶表示パネル）を開いて使用する時、大きくなり過ぎて、操作性が悪くなってしまう。
【０００４】
本発明の課題は、モニタを備えるカメラ装置において、携帯時にカメラ本体に対しモニタを折り畳むように閉じて保護しながら、モニタを開いて使用する時でも、全体としてさほど嵩張らない大きさにして、操作性を良くすることである。
【０００５】
【課題を解決するための手段】
以上の課題を解決すべく請求項１記載の発明は、撮影画像及び再生画像表示用のモニタ部をカメラ本体に対し開閉可能に備えたカメラ装置であって、前記モニタ部は、一側部の上下に支軸を有し、前記カメラ本体は、前記上下の支軸が移動自在にそれぞれ係合する上下一対の横方向案内溝を有し、前記カメラ本体に対し前記モニタ部を開いた状態で当該モニタ部のほぼ半分が前記カメラ本体に重なった状態となるよう前記モニタ部を前記カメラ本体に組み付けた構成、を特徴としている。
【０００６】
ここで、モニタ部は、例えば、液晶表示パネルが代表的であるが、他の表示手段によるものでも良い。
カメラ本体は、モニタ部の他に、撮像レンズ部は勿論、各種スイッチ等による操作部を備えるものである。
カメラ装置としては、撮像素子としてＣＣＤを用いた電子スチルカメラが挙げられるが、他の素子を用いたカメラであっても良い。
【０００７】
以上のように、請求項１記載の発明によれば、モニタ部の一側部に有する上下の支軸が移動自在にそれぞれ係合する上下一対の横方向案内溝を、カメラ本体が有し、カメラ本体に対し開閉可能に備えられるモニタ部を開いた状態において、当該モニタ部のほぼ半分がカメラ本体に重なった状態となるようモニタ部をカメラ本体に組み付けたカメラ装置なので、携帯時において、モニタ部をカメラ本体に対し折り畳むように閉じることにより保護できる。そして、カメラ本体に対しモニタ部を開いた状態では、モニタ部のほぼ半分がカメラ本体に重なった状態となるので、全体としてはさほど嵩張らない大きさとなって、モニタ部を見ながら行う撮影時の操作性が良いものとなる。
【００１０】
請求項２記載の発明は、請求項１記載のカメラ装置であって、前記カメラ本体には、前記モニタ部を閉めた状態で当該モニタ部により覆われた状態となり、かつ、前記モニタ部を開いた状態で露出した状態となる操作部を設けた構成、を特徴としている。
【００１１】
このように、請求項２記載の発明によれば、請求項１記載のカメラ本体には、モニタ部を閉めた状態で当該モニタ部により覆われた状態となり、かつ、モニタ部を開いた状態では露出状態となる操作部が設けられたカメラ装置なので、携帯時には、カメラ本体に対し閉じたモニタ部により操作部を覆って、操作部の誤操作を防止でき、カメラ本体に対しモニタ部を開いた状態において、モニタ部を見ながら、露出状態の操作部を操作して撮影できる。
【００１２】
請求項３記載の発明は、請求項２記載のカメラ装置であって、前記操作部には、電源スイッチが含まれている構成、を特徴としている。
【００１３】
このように、請求項３記載の発明によれば、請求項２記載の操作部に電源スイッチが含まれているカメラ装置なので、カメラ本体に対しモニタ部を開いて行う撮影時においてのみ、電源のＯＮ／０ＦＦ操作が行える。
【００１４】
請求項４記載の発明は、請求項２または３記載のカメラ装置であって、前記操作部には、シャッターボタンが含まれている構成、を特徴としている。
【００１５】
このように、請求項４記載の発明によれば、請求項２または３記載の操作部にシャッターボタンが含まれているカメラ装置なので、カメラ本体に対しモニタ部を開いて行う撮影時においてのみ、シャッターボタンのＯＮ操作が行える。
【００１６】
【発明の実施の形態】
以下に、本発明に係るカメラ装置の実施の形態例を図１から図１３に基づいて説明する。
先ず、図１と図２は、本発明を適用した一例としてのカメラ装置を示すもので、モニタ部を閉じた状態での前面側を示した正面図及び背面図であり、図３はモニタ部を開いた状態を示した背面図である。
そして、図４から図８は、図２のカメラ装置を斜め上方から見た状態を示したもので、モニタ部を閉じた状態から全開状態までの過程を示した斜視図である。また、図９から図１３は、図４から図８のモニタ部を閉じた状態から全開状態までの過程に対応して、モニタ部の支軸とカメラ本体の案内溝との関係を示すもので、モニタ部を仮想線で示したカメラ本体の横断平面図である。
【００１７】
これらの図１から図１３において、１はカメラ本体、２はモニタ部、３は液晶表示パネル、４はグリップ部、５は電池収納部、６は撮像レンズ部、７はストロボ発光部、８は回転部、９はモニタ部支持片、１０は操作部、１１は電源スイッチ、１２はシャッターボタン、１３はマイナスボタン、１４はプラスボタン、１５はセルフタイマ／プロテクトボタン、１６はズームボタン、１７はディスプレイボタン、１８はモードボタン、１９はＬＥＤ表示部、２１は支軸、２２は横方向案内溝、２３はファンクションスイッチ、２４は標準／接写切替スイッチ、２５はデリートボタン、Ｂは電池である。
この実施の形態例において、本発明を適用するカメラ装置は電子スチルカメラであり、図示のように、カメラ本体１に対し撮影画像及び再生画像表示用のモニタ部２を一側部で開閉操作可能に組み付けたものである。
モニタ部２は、液晶表示パネル３による表示画面を有している。
【００１８】
カメラ本体１の右端部は、右手で持つためのグリップ部４となっていて、このグリップ部４内の電池収納部５に２本の電池Ｂ，Ｂが収納されている。
このカメラ本体２の上部には、撮像レンズ部６及びストロボ発光部７が横に並べて配設されており、これら撮像レンズ部６及びストロボ発光部７は回転部８に設けられていて、この回転部８はカメラ本体２上部に回転可能に組み付けられている。
この回転部８の端部８ａを手で回すことで、撮像レンズ部６及びストロボ発光部７が一体に回転する。
【００１９】
また、カメラ本体１の左半部には、上下一対のモニタ部支持片９，９が突出して形成されており、その右側でグリップ部４との間に操作部１０が設けられている。
この操作部１０は、上部で横に並べて配設された電源スイッチ１１及びシャッターボタン１２と、その下方に横に並んだマイナスボタン１３及びプラスボタン１４と、その下方に横並びのセルフタイマ／プロテクトボタン１５、ズームボタン１６、ディスプレイボタン１７及びモードボタン１８とからなるものである。この操作部１０の下方には、ＬＥＤ（Light Emitting Diode：発光ダイオード）によるＬＥＤ表示部１９が設けられている。
【００２０】
そして、モニタ部２は、カメラ本体１に対し上下一対のモニタ部支持片９，９間及び操作部１０を覆う形状のもので、このモニタ部２の液晶表示パネル３側から見て右端部には、同一軸線上の上下一対の支軸２１，２１が突出して形成されている。
また、カメラ本体１の上下一対のモニタ部支持片９，９には、横方向に伸びた同一形状による横方向案内溝２２，２２が形成されている。
このような上下の横方向案内溝２２，２２に支軸２１，２１をそれぞれ係合することで、カメラ本体１に対しモニタ部２が開閉可能に組み付けられている。
なお、カメラ本体１のグリップ部４の上部にファンクションスイッチ２３が設けられて、さらにその上方に標準／接写切替スイッチ２４が設けられている。また、カメラ本体１の上面で回転部８の側方にはデリートボタン２５が設けられている。
【００２１】
ところで、カメラ本体１には、撮像レンズ部６からの画像を取り込むための図示しないＣＣＤ（Charge Coupled Device：固体撮像素子）と、その撮影画像をデジタル情報化して記憶するための図示しない記憶回路並びに制御回路が内蔵されている。
また、カメラ本体１とモニタ部２とは、図示しないフレキシブル基板や導電金属板等の電力供給手段を介して電気的に接続されている。
【００２２】
次に、以上の電子スチルカメラの使い方について説明する。
携帯時には、図２及び図４に示すように、カメラ本体１に対し折り畳むようにモニタ部２が重なった全閉状態となって、モニタ部２の液晶表示パネル３が隠されるとともに、操作部１０、即ち、電源スイッチ１１、シャッターボタン１２、マイナスボタン１３、プラスボタン１４、セルフタイマ／プロテクトボタン１５、ズームボタン１６、ディスプレイボタン１７、モードボタン１８に加えて、ＬＥＤ表示部１９がモニタ部２により覆われた状態となる。
従って、携帯時において、モニタ部２の液晶表示パネル３、操作部１０（電源スイッチ１１、シャッターボタン１２、マイナスボタン１３、プラスボタン１４、セルフタイマ／プロテクトボタン１５、ズームボタン１６、ディスプレイボタン１７、モードボタン１８）及びＬＥＤ表示部１９の保護が図れるとともに、操作部１０の誤操作を防止できる。
なお、以上の携帯時においては、図９に示すように、モニタ部２の支軸２１が、カメラ本体１のモニタ部支持片９の横方向案内溝２２の左端部に位置している。
【００２３】
撮影に際しては、図５及び図１０に矢印で示したように、カメラ本体１に対しモニタ部２を開け始める。この時、支軸２１が横方向案内溝２２の左端部から右側に徐々に移動し始める。
続いて、図６及び図１１に矢印で示したように、モニタ部２を開けていくと、支軸２１が横方向案内溝２２の中央部に達し、さらに、図７及び図１２に矢印で示したように、モニタ部２を大きく開けていくと、支軸２１が横方向案内溝２２の中央部から右側に移動する。
そして、図８及び図１３に示したように、モニタ部２を全開状態とすると、支軸２１が横方向案内溝２２の右端部に位置する。
このようなモニタ部２の全開状態において、図示のように、モニタ部２のほぼ右半部がカメラ本体１に重なるものとなっている。
【００２４】
以上のように、モニタ部２を全開状態とすると、図３に示したように、操作部１０（電源スイッチ１１、シャッターボタン１２、マイナスボタン１３、プラスボタン１４、セルフタイマ／プロテクトボタン１５、ズームボタン１６、ディスプレイボタン１７、モードボタン１８）及びＬＥＤ表示部１９が露出状態となる。
従って、使用者は、カメラ本体１のグリップ部４を右手で持って、電源スイッチ１１を右指でＯＮ操作してから、左側に開いたモニタ部２の液晶表示パネル８の画面を見ながらシャッターボタン１２を右指で押して撮影できる。
その他、マイナスボタン１３、プラスボタン１４、セルフタイマ／プロテクトボタン１５、ズームボタン１６、ディスプレイボタン１７及びモードボタン１８の各種操作も行える。
【００２５】
このようなモニタ部２の全開状態において、モニタ部２のほぼ右半分がカメラ本体１に重なった状態のため、カメラ全体としてはさほど嵩張らない比較的コンパクトな大きさのものとなっている。
従って、撮影時において、モニタ部２（液晶表示パネル３）を見ながらの操作性に優れたものとなっている。
【００２６】
なお、以上の実施の形態例においては、電子スチルカメラとしたが、本発明はこれに限定されるものではなく、他に、アナログカメラでデジタル変換による画像記録機能とモニタによる画像再生機能を兼備するカメラであっても良い。
また、各部の具体的な構造やデザイン等も任意であり、その他、具体的な細部構造等についても適宜に変更可能であることは勿論である。
【００２７】
【発明の効果】
以上のように、請求項１記載の発明に係るカメラ装置によれば、モニタ部の一側部に有する上下の支軸が移動自在にそれぞれ係合する上下一対の横方向案内溝を、カメラ本体が有し、カメラ本体に対しモニタ部を開いた状態において、当該モニタ部のほぼ半分がカメラ本体に重なった状態となるようモニタ部をカメラ本体に組み付けたため、携帯時において、モニタ部をカメラ本体に対し折り畳むように閉じることにより保護することができ、しかも、カメラ本体に対しモニタ部を開いた状態では、モニタ部のほぼ半分がカメラ本体に重なった状態となるため、全体としてはさほど嵩張らない大きさとなり、従って、モニタ部を見ながら行う撮影時の操作性を良くすることができる。
【００２９】
請求項２記載の発明に係るカメラ装置によれば、カメラ本体に、モニタ部の閉状態で当該モニタ部により覆われた状態となって、モニタ部の開状態で露出状態となる操作部を設けたため、請求項１記載の発明により得られる効果に加えて、携帯時には、閉じたモニタ部により操作部を覆って、操作部の誤操作を防止することができ、モニタ部を開いた状態で、モニタ部を見ながら、露出状態の操作部を操作して撮影することができるといった利点が得られる。
【００３０】
請求項３記載の発明に係るカメラ装置によれば、モニタ部の開状態で露出状態となる操作部に電源スイッチが含まれているため、請求項２記載の発明により得られる効果に加えて、モニタ部を開いて行う撮影時においてのみ、電源のＯＮ／０ＦＦ操作を行うことができるといった利点が得られる。
【００３１】
請求項４記載の発明に係るカメラ装置によれば、モニタ部の開状態で露出状態となる操作部にシャッターボタンが含まれているため、請求項２または３記載の発明により得られる効果に加えて、モニタ部を開いて行う撮影時においてのみ、シャッターボタンのＯＮ操作を行うことができるといった利点が得られる。
【図面の簡単な説明】
【図１】本発明を適用した一例としてのカメラ装置を示すもので、モニタ部を閉じた状態での前面側を示した正面図である。
【図２】図１のカメラ装置を反対側から見た背面図である。
【図３】図２の状態からモニタ部を開いた状態を示した背面図である。
【図４】図２のカメラ装置を斜め上方から見た斜視図である。
【図５】図４の状態からモニタ部を開き始めた状態を示した斜視図である。
【図６】図５の状態からモニタ部を大きく開きながら中央側に移動させていく状態を示した斜視図である。
【図７】図６の状態からモニタ部をさらに開きながら中央側に移動させた状態を示した斜視図である。
【図８】図７の状態からモニタ部を全開させた状態を示した斜視図である。
【図９】図４の状態におけるモニタ部の支軸とカメラ本体の案内溝との関係を示すもので、モニタ部を仮想線で示したカメラ本体の横断平面図である。
【図１０】図５の状態におけるモニタ部の支軸とカメラ本体の案内溝との関係を示すもので、モニタ部を仮想線で示したカメラ本体の横断平面図である。
【図１１】図６の状態におけるモニタ部の支軸とカメラ本体の案内溝との関係を示すもので、モニタ部を仮想線で示したカメラ本体の横断平面図である。
【図１２】図７の状態におけるモニタ部の支軸とカメラ本体の案内溝との関係を示すもので、モニタ部を仮想線で示したカメラ本体の横断平面図である。
【図１３】図８の状態におけるモニタ部の支軸とカメラ本体の案内溝との関係を示すもので、モニタ部を仮想線で示したカメラ本体の横断平面図である。
【符号の説明】
１  カメラ本体
２  モニタ部
３  液晶表示パネル
４  グリップ部
５  電池収納部
６  撮像レンズ部
７  ストロボ発光部
８  回転部
９  モニタ部支持片
１０  操作部
１１  電源スイッチ
１２  シャッターボタン
１３  マイナスボタン
１４  プラスボタン
１５  セルフタイマ／プロテクトボタン
１６  ズームボタン
１７  ディスプレイボタン
１８  モードボタン
１９  ＬＥＤ表示部
２１  支軸
２２  横方向案内溝
２３  ファンクションスイッチ
２４  標準／接写切替スイッチ
２５  デリートボタン
Ｂ  電池
【図１】
0003713928.tif 000002
【図２】
0003713928.tif 000003
【図３】
0003713928.tif 000004
【図４】
0003713928.tif 000005
【図５】
0003713928.tif 000006
【図６】
0003713928.tif 000007
【図７】
0003713928.tif 000008
【図８】
0003713928.tif 000009
【図９】
0003713928.tif 000010
【図１０】
0003713928.tif 000011
【図１１】
0003713928.tif 000012
【図１２】
0003713928.tif 000013
【図１３】
0003713928.tif 000014